(57)【要約】【課題】配信データ量は少なくて済むと共に、電子メールを開くだけで３次元画像が表示される電子メール送受信方法を提供する。【解決手段】受信端末装置は、電子メールのためのアプリケーションプログラムと、３次元描画表示のためのアプリケーションプログラムを備える。受信端末装置の電子メールアドレスに、宛先アドレスとしては通信網上で無視される特定の文字および／または記号を付加すると共に、３次元描画表示対象物を特定するための描画対象特定情報を付加して、電子メールを受信端末装置に送信する。受信端末装置は、電子メールアドレスに含まれる特定の文字および／または記号を検知することにより、３次元描画表示のためのアプリケーションプログラムを起動すると共に、描画対象特定情報により特定される３次元描画表示対象物を３次元描画表示するための基本データを取得して、受信電子メール表示画面において３次元描画表示する。【選択図】図１
2005326978.tif 000002
【特許請求の範囲】
【請求項１】
送信側端末から所定のサーバ装置を介して受信端末装置に電子メールを送信し、前記電子メールを受信した前記受信端末装置で、受信電子メール表示画面において３次元描画表示対象物を３次元描画表示するようにする方法であって、
前記受信端末装置で受信される前記電子メールの本文に、前記３次元描画表示対象物を特定するための描画対象特定情報が付加される工程と、
前記電子メールを受信した前記受信端末装置が、前記電子メールの前記本文に付加されている前記描画対象特定情報により、３次元描画表示のためのアプリケーションプログラムを起動すると共に、前記描画対象特定情報により特定される前記３次元描画表示対象物を３次元描画表示するための基本データを取得して、前記受信電子メール表示画面において３次元描画表示する工程と、
を備えることを特徴とする電子メール送受信方法。
【請求項２】
請求項１に記載の電子メール送受信方法において、
前記サーバ装置においては、前記受信端末装置に送る前記電子メールに、自装置のネットワークアドレスを付加するようにし、
前記受信端末装置は、前記３次元描画表示のためのアプリケーションプログラムを備えていない場合には、前記電子メールに付加されているネットワークアドレスを用いて、前記サーバ装置にアクセスし、前記３次元描画表示のためのアプリケーションプログラムを前記サーバ装置から取得する
ことを特徴とする電子メール送受信方法。
【請求項３】
請求項１に記載の電子メール送受信方法において、
前記サーバ装置においては、前記受信端末装置に送る前記電子メールに、自装置のネットワークアドレスを付加するようにし、
前記電子メールを受信した前記受信端末装置は、前記ネットワークアドレスを用いて、前記サーバ装置にアクセスし、前記描画対象特定情報により特定される前記３次元描画表示対象物を３次元描画表示するための基本データを前記サーバ装置からダウンロードして取得する
ことを特徴とする電子メール送受信方法。
【請求項４】
受信端末装置に電子メールを送信し、前記電子メールを受信した前記受信端末装置で、受信電子メール表示画面において３次元描画表示対象物を３次元描画表示するようにする方法であって、
前記受信端末装置宛ての電子メールに、前記３次元描画表示対象物を特定するための描画対象特定情報と、３次元描画表示のためのアプリケーションプログラムを起動させるための情報を添付して、前記電子メールを前記受信端末装置に送信する工程と、
前記電子メールを受信した前記受信端末装置が、前記電子メールに添付された情報に基づいて、前記３次元描画表示のためのアプリケーションプログラムを起動すると共に、前記描画対象特定情報により特定される前記３次元描画表示対象物を３次元描画表示するための基本データを取得して、前記受信電子メール表示画面において３次元描画表示する工程と、
を備えることを特徴とする電子メール送受信方法。
【請求項５】
受信端末装置に電子メールを送信し、前記電子メールを受信した前記受信端末装置で、受信電子メール表示画面において３次元描画表示対象物を３次元描画表示するようにする方法であって、
送信端末装置が、３次元描画表示を可能とする電子メールの送信サービスを提供するサーバ装置にアクセスし、前記サーバ装置に対して、前記受信端末装置の電子メールアドレスと、前記サーバ装置から提供された前記３次元描画表示対象物の選定情報とを含めた電子メールの送信依頼を送る工程と、
前記電子メールの送信依頼を受信した前記サーバ装置が、前記受信端末装置宛ての電子メールに、前記３次元描画表示対象物を特定するための描画対象特定情報と、３次元描画表示のためのアプリケーションプログラムを起動させるための情報を添付して、前記電子メールを前記受信端末装置に送信する工程と、
前記電子メールを受信した前記受信端末装置が、前記電子メールに添付された情報に基づいて、前記３次元描画表示のためのアプリケーションプログラムを起動すると共に、前記描画対象特定情報により特定される前記３次元描画表示対象物を３次元描画表示するための基本データを取得して、前記受信電子メール表示画面において３次元描画表示する工程と、
を備えることを特徴とする電子メール送受信方法。
【請求項６】
請求項１、請求項４または請求項５に記載の電子メール送受信方法において、
前記受信端末装置は、３次元描画表示対象物を３次元描画表示するための基本データを格納する格納部を備え、
前記描画対象特定情報により特定される前記３次元描画表示対象物を３次元描画表示するための基本データは、前記格納部から読み出して取得する
ことを特徴とする電子メール送受信方法。
【請求項７】
請求項４または請求項５に記載の電子メール送受信方法において、
前記電子メールを受信した前記受信端末装置は、前記３次元描画表示のためのアプリケーションプログラムを起動すると共に、予め定められたサーバ装置にアクセスし、前記描画対象特定情報により特定される前記３次元描画表示対象物を３次元描画表示するための基本データを前記サーバ装置からダウンロードして取得する
ことを特徴とする電子メール送受信方法。
【請求項８】
請求項４または請求項５に記載の電子メール送受信方法において、
前記受信端末装置は、前記描画対象特定情報により指定される前記３次元描画表示対象物を３次元描画表示するための基本データが前記受信端末装置に格納されているかどうかを判別し、前記基本データが格納されていると判別したときには、前記基本データを前記格納されている情報から取得し、前記基本データが格納されていないと判別したときには、予め定められたサーバ装置にアクセスし、前記描画対象特定情報により特定される前記３次元描画表示対象物を３次元描画表示するための基本データを前記サーバ装置からダウンロードして取得する
ことを特徴とする電子メール送受信方法。
【請求項９】
請求項３、請求項７または請求項８に記載の電子メール送受信方法において、
前記受信端末装置は、前記サーバ装置からダウンロードした前記３次元描画表示対象物を３次元描画表示するための基本データを格納する工程を備える
ことを特徴とする電子メール送受信方法。
【請求項１０】
少なくとも電子メールのためのアプリケーションプログラムと、３次元描画表示のためのアプリケーションプログラムを格納するためのプログラム格納手段と、
３次元描画表示対象物を３次元描画表示するための基本データを格納するための３次元描画表示対象物基本データ格納手段と、
前記電子メールの本文中に、前記３次元描画表示対象物を特定するための描画対象特定情報が付加されている前記電子メールを受信したときに、前記３次元描画表示のためのアプリケーションプログラムを起動する手段と、
前記描画対象特定情報により指定される前記３次元描画表示対象物を３次元描画表示するための基本データが前記受信端末装置に格納されているかどうかを判別する判別手段と、
前記判別手段で、前記基本データが格納されていると判別したときには、前記描画対象特定情報により特定される前記３次元描画表示対象物を３次元描画表示するための基本データを読み出して、前記受信電子メール表示画面において３次元描画表示する手段と、
前記判別手段で、前記基本データが格納されていないと判別したときには、所定のサーバ装置にアクセスし、前記描画対象特定情報により特定される前記３次元描画表示対象物を３次元描画表示するための基本データを前記サーバ装置からダウンロードして、前記受信電子メール表示画面において３次元描画表示する手段と、
を備える電子メールの受信端末装置。
【請求項１１】
少なくとも電子メールのためのアプリケーションプログラムと、３次元描画表示のためのアプリケーションプログラムを格納するためのプログラム格納手段と、
３次元描画表示対象物を３次元描画表示するための基本データを格納するための３次元描画表示対象物基本データ格納手段と、
前記３次元描画表示対象物を特定するための描画対象特定情報と、前記３次元描画表示のためのアプリケーションプログラムを起動させるための情報が添付されている前記電子メールを受信したときに、前記電子メールに添付されている情報に基づいて、前記３次元描画表示のためのアプリケーションプログラムを起動する手段と、
前記電子メールに添付されている前記描画対象特定情報により指定される前記３次元描画表示対象物を３次元描画表示するための基本データが前記受信端末装置に格納されているかどうかを判別する判別手段と、
前記判別手段で、前記基本データが格納されていると判別したときには、前記描画対象特定情報により特定される前記３次元描画表示対象物を３次元描画表示するための基本データを読み出して、前記受信電子メール表示画面において３次元描画表示する手段と、
前記判別手段で、前記基本データが格納されていないと判別したときには、所定のサーバ装置にアクセスし、前記描画対象特定情報により特定される前記３次元描画表示対象物を３次元描画表示するための基本データを前記サーバ装置からダウンロードして、前記受信電子メール表示画面において３次元描画表示する手段と、
を備える電子メールの受信端末装置。
【請求項１２】
請求項１０または請求項１１に記載の電子メールの受信端末装置において、
前記サーバ装置からダウンロードした前記３次元描画表示対象物を３次元描画表示するための基本データを前記３次元描画表示対象物基本データ格納手段に格納する手段を備える
ことを特徴とする電子メールの受信端末装置。
【発明の詳細な説明】
【技術分野】
【０００１】
この発明は、電子メールの受信端末装置の受信電子メール表示画面において３次元描画表示対象物を３次元描画表示することができる電子メール送受信方法および電子メールの受信端末装置に関する。
【背景技術】
【０００２】
電子メールを用いて、テキスト文書と共に、画像や音声などを伝送することができれば非常に便利であり、従来から種々の方法が提案されている。
【０００３】
例えば、特許文献１（特開２００２−３６６４９６号公報）には、電子メールのテキストデータと、画像データとを合成して、電子メールで配送する方法が記載されている。この特許文献１の方法においては、電子メール配送装置を設け、この電子メール配送装置に送信元からテキスト文書データや画像コンテンツのデータを送っておく。そして、電子メール配送装置において、電子メールのテキスト文書と、画像コンテンツのデータとを合成して、電子メールの宛先に配送するようにしている。
【０００４】
また、特許文献２（特開２０００−２４９６７７号公報）には、音声付グリーティングカードのサイト内に予め用意したカードと、予め用意した音声とを組み合わせ、相手先の携帯端末へ送信するようにする方法が記載されている。
【０００５】
ところで、電子メールを用いて伝送して、テキスト文書と共に表示する画像が３次元画像であれば、現実に近い状態で物品等を表示することができ、電子メールを、より楽しめるようになると考えられる。
【０００６】
電子メールではないが、インターネット上において、サーバ装置と端末装置との間でのやり取りを通じて３次元画像を表示するようにすることができるものは、例えば特許文献３（特開２００２−６３６０２号公報）や特許文献４（特開２００２−４２１６９号公報）など、従来から種々提案されている。
【０００７】
そこで、この特許文献３，４の技術を電子メールに適用して、３次元画像を表示することができるようにすることが考えられる。すなわち、例えば、電子メールとして送信する記述情報を、例えばＨＴＭＬ（Ｈｙｐｅｒ  Ｔｅｘｔ  Ｍａｒｋｕｐ  Ｌａｎｇｕａｇｅ）を用いてホームページと同様に作成して、電子メールのテキストメッセージと共に、当該ホームページ状の記述中に、インターネット上のサーバ装置にアクセスするためのアイコンボタンなどを含めるようにすることが考えられる。
【０００８】
これは、サーバ装置からホームページの画像などを電子メール画面にパーツ毎に読み出すると共に、テキスト文字などと一緒に再構成して、電子メールの表示ウインドウに表示するもので、ＨＴＭＬメールと呼ばれている。
【０００９】
このＨＴＭＬメールによれば、ユーザは、前記アイコンボタンを操作することにより、サーバ装置にアクセスすることにより、３次元画像を、ブラウザを用いて表示して観ることができるようになる。
【００１０】
上記の特許文献は、次の通りである。
【特許文献１】特開２００２−３６６４９６号公報
【特許文献２】特開２００３−１８０８４号公報
【特許文献３】特開２００２−６３６０２号公報
【特許文献４】特開２００３−４２１６９号公報
【発明の開示】
【発明が解決しようとする課題】
【００１１】
しかしながら、特許文献１および２による電子メールの送受信方法は、いずれも、電子メールのデータや音声付グリーティングカードのデータ自体に画像データや音声データを合成して、電子メールやグリーティングカードを配送するものである。このため、これら電子メールやグリーティングカードのデータ量が多くなり、ネットワーク通信のトラフィック上、好ましくないと共に、受信に時間が係るという問題がある。
【００１２】
また、特許文献１，２の方法においては、電子メールのデータや音声付グリーティングカードのデータ自体に画像データや音声データを合成するものであるため、画像データや音声データは、電子メールのデータや音声付グリーティングカードのデータと合成したときのものに固定されてしまう。このため、動画や種々の角度から見た３次元画像を送るようにする場合には、データ量が膨大になるという不具合もある。
【００１３】
これに対して、上述のＨＴＭＬメールを用いる場合には、電子メール自体は、データ量は少なくて済み、上述の不具合は回避できる。しかし、３次元画像を観るためには、ユーザは、電子メールを開いた後、アイコンボタンを押してサーバ装置にアクセスしてブラウザにより別ウインドウとして３次元画像を表示しなければならないという問題がある。
【００１４】
電子メールにおいては、ユーザが当該電子メールを開いたときに、電子メールのテキスト文字列とともに、３次元画像が表示されていた方が、使い勝手がよい。一般に、アイコンボタンなどの余計な手間をかけなければならないとした場合には、ユーザは、その手間を省くおそれがあり、３次元画像がユーザに到達しないというおそれもある。
【００１５】
この発明は、以上の点にかんがみ、送信データ量は少なくて済むと共に、電子メールを開くだけで３次元画像が表示されるようにすることを目的とする。
【課題を解決するための手段】
【００１６】
上記の課題を解決するために、請求項１の発明は、
送信側端末から所定のサーバ装置を介して受信端末装置に電子メールを送信し、前記電子メールを受信した前記受信端末装置で、受信電子メール表示画面において３次元描画表示対象物を３次元描画表示するようにする方法であって、
前記受信端末装置で受信される前記電子メールの本文に、前記３次元描画表示対象物を特定するための描画対象特定情報が付加される工程と、
前記電子メールを受信した前記受信端末装置が、前記電子メールの前記本文に付加されている前記描画対象特定情報により、３次元描画表示のためのアプリケーションプログラムを起動すると共に、前記描画対象特定情報により特定される前記３次元描画表示対象物を３次元描画表示するための基本データを取得して、前記受信電子メール表示画面において３次元描画表示する工程と、
を備えることを特徴とする電子メール送受信方法。
【００１７】
上述の構成の請求項１の発明においては、３次元描画表示を伴う電子メールの場合には、受信した電子メールの本文には、３次元描画表示対象物を特定するための描画対象特定情報が付加されている。
【００１８】
受信端末装置では、受信した電子メールの本文の前記描画対象特定情報から、当該電子メールが３次元描画表示を伴うものであることを検知し、自装置が備えている３次元描画表示のためのアプリケーションプログラムを起動する。
【００１９】
また、受信端末装置は、受信した電子メールに含まれる描画対象特定情報により指定される３次元描画表示対象物を３次元描画表示するための基本情報を、例えば、自装置に格納されている３次元描画表示対象物の前記基本情報の中から読み出して取得し、あるいは、例えば予め定められているサーバ装置にアクセスして、当該サーバ装置からダウンロードすることにより、取得する。
【００２０】
そして、受信端末装置は、指定された３次元描画表示対象物を、取得した基本データを用いて、電子メールの本文が表示される受信電子メール表示画面において３次元描画表示する。
【００２１】
したがって、電子メールの受信ユーザは、通常の電子メールの受信表示操作をするだけで、３次元描画表示を伴う電子メールを受け取って表示することができる。
【００２２】
また、請求項４の発明は、
受信端末装置に電子メールを送信し、前記電子メールを受信した前記受信端末装置で、受信電子メール表示画面において３次元描画表示対象物を３次元描画表示するようにする方法であって、
前記受信端末装置宛ての電子メールに、前記３次元描画表示対象物を特定するための描画対象特定情報と、前記３次元描画表示のためのアプリケーションプログラムを起動させるための情報を添付して、前記電子メールを前記受信端末装置に送信する工程と、
前記電子メールを受信した前記受信端末装置が、前記電子メールに添付された情報に基づいて、前記３次元描画表示のためのアプリケーションプログラムを起動すると共に、前記描画対象特定情報により特定される前記３次元描画表示対象物を３次元描画表示するための基本データを取得して、前記受信電子メール表示画面において３次元描画表示する工程と、
を備えることを特徴とする電子メール送受信方法を提供する。
【００２３】
上述の構成の請求項４の発明においては、３次元描画表示を伴う電子メールの場合には、電子メールには、３次元描画表示対象物を特定するための描画対象特定情報と、前記３次元描画表示のためのアプリケーションプログラムを起動させるための情報が添付されている。
【００２４】
受信端末装置では、受信した電子メールを受信電子メール表示画面で表示するときに、電子メールの前記添付情報から、当該電子メールが３次元描画表示を伴うものであることを検知し、自装置が備えている３次元描画表示のためのアプリケーションプログラムを起動する。
【００２５】
また、受信端末装置は、受信した電子メールの添付情報に含まれる描画対象特定情報により指定される３次元描画表示対象物を３次元描画表示するための基本情報を、例えば、自装置に格納されている３次元描画表示対象物の前記基本情報の中から読み出して取得し、あるいは、例えば予め定められているサーバ装置にアクセスして、当該サーバ装置からダウンロードすることにより、取得する。
【００２６】
そして、受信端末装置は、指定された３次元描画表示対象物を、取得した基本データを用いて、電子メールの本文が表示される受信電子メール表示画面において３次元描画表示する。
【００２７】
したがって、電子メールの受信ユーザは、通常の電子メールの受信表示操作をするだけで、３次元描画表示を伴う電子メールを受け取って表示することができる。
【発明の効果】
【００２８】
この発明によれば、電子メールの受信ユーザは、通常の電子メールと同様に受信した電子メールを開くだけの操作を行なうだけで、３次元描画画像表示を伴う電子メールを見ることができる。しかも、３次元画像データを電子メールと共に送受信するものではないので、送信データ量は少ない。
【００２９】
そして、この発明を、例えば携帯電話における電子メールに適用すれば、ユーザは、３次元描画画像を、電子メールで用いる絵文字などと同じ感覚で送受信することができるという効果がある。
【発明を実施するための最良の形態】
【００３０】
以下、この発明による電子メール送受信方法および電子メールの受信端末装置の実施形態を、図を参照しながら説明する。この発明は、パーソナルコンピュータ、携帯電話端末やＰＤＡ（Ｐｅｒｓｏｎａｌ  Ｄｉｇｉｔａｌ  Ａｓｓｉｓｔａｎｔｓ）などの携帯情報端末などの、通信網を通じて電子メールの送受信が可能な端末装置の全てに適用可能であるが、以下に説明する実施形態は、携帯電話端末における電子メールの送受信の場合を例にとった場合である。
【００３１】
［電子メール送受信方法の第１の実施形態］
図１〜図４は、３次元描画画像表示を伴う電子メールの送受信方法の第１の実施形態の概要を説明するための図である。
【００３２】
図１は、この第１の実施形態における電子メールの送受信方法の第１の送受信形態を説明するための図である。この図１において、１および２は、携帯電話端末であり、電子メールのためのアプリケーションプログラムと、３次元描画表示のためのアプリケーションプログラムを備えている。この例では、電子メールのためのアプリケーションプログラムは、３次元描画画像表示を伴う電子メールに対応するものとされている。図１の例では、携帯電話端末１が電子メールの送信端末、携帯電話端末２が電子メールの受信端末とされている。
【００３３】
携帯電話端末間における通常の電子メール（３次元描画画像を伴わない電子メール）の送受信においては、送信端末である携帯電話端末１のみで、送信する電子メールを作成し、宛先として携帯電話端末２の電子メールアドレスを指定して、携帯電話網を通じて送信する。この送信された電子メールは、携帯電話基地局３を介して、宛先の携帯電話端末２に受信される。
【００３４】
これに対して、この第１の実施形態において３次元描画画像表示を伴う電子メールを送る場合には、先ず、携帯電話端末１は、３次元描画表示を可能とする電子メールの送信サービスやその他のサービスを提供するサーバ装置（以下、３Ｄサーバ装置という）４にアクセスする。すると、３Ｄサーバ装置４からは、提供可能なサービスのメニューの一覧が送られてくるので、携帯電話端末１では、そのメニューから３次元描画画像表示を伴う電子メール（以下、３Ｄメールという）の項目を選択し、その選択項目情報を３Ｄサーバ装置４に送る。３Ｄサーバ装置４は、携帯電話端末１から３Ｄメールを指定する選択項目情報を受け取ると、図２（Ａ）に示すような３Ｄメールの作成用画面を、携帯電話端末１に送る。
【００３５】
この３Ｄメールの作成用画面は、図２（Ａ）に示されるように、宛先の欄１１、題名の欄１２、本文の欄１３および添付３Ｄの欄１４を備える。ここで、添付３Ｄの欄１４は、３Ｄメールにおいて送られる３次元描画表示対象物の選定情報を選択入力する欄である。
【００３６】
携帯電話端末１のユーザは、この図２（Ａ）の３Ｄメールの作成用画面の宛先の欄１１に、電子メールの宛先として、携帯電話端末２の電子メールアドレスを入力する。このときに入力する電子メールアドレスは、通常の電子メールの送信の場合と全く同一でよい。
【００３７】
また、携帯電話端末１のユーザは、この図２（Ａ）の３Ｄメールの作成用画面の題名の欄１２および本文の欄１３に、電子メールの題名および本文を、テキスト文字や絵文字、記号などを用いて、通常の電子メールの送信の場合と同様に入力する。なお、本文の欄１３は、スクロールすることが可能であり、図２（Ａ）に示されるエリアよりも広いエリアに本文を書き込むことができるものである。
【００３８】
さらに、携帯電話端末１のユーザは、添付３Ｄの欄１４に対して、電子メールの本文と一緒に送りたい３次元描画表示対象物の選択入力を行なう。すなわち、携帯電話端末１の操作キーを用いて、添付３Ｄの項目を選択する状態にして、決定キーを押すと、３次元描画表示が可能な３次元描画表示対象物の名称の一覧メニューがプルダウンメニューとして表示される。
【００３９】
このプルダウンメニューは、３Ｄサーバ装置４から送られてきているものであり、３Ｄサーバ装置４には、当該プルダウンメニューに表示される３次元描画表示対象物のそれぞれを、３次元描画表示のためのアプリケーションプログラムにより３次元描画表示するための基本データ（以下、３次元描画基本データという）が、各３次元描画表示対象物の名称などの識別情報に対応して格納されて用意されている。
【００４０】
携帯電話端末１のユーザは、前記プルダウンメニューから、電子メールにより送信したい３次元描画表示対象物の名称を選択する。図２（Ａ）の例では、「りんご」が選択されている。
【００４１】
以上の入力が終了すると、携帯電話端末１のユーザは、例えば、確認ボタンを操作した後、送信キーを操作することにより、３Ｄメールの送信依頼を３Ｄサーバ装置４に送るように操作する。この３Ｄメールの送信依頼には、図２（Ａ）に示した各欄１１，１２，１３，１４に入力された項目の情報、つまり、宛先の電子メールアドレスと、題名の情報と、本文の情報と、送信したい３次元描画表示対象物の選定情報とが含まれている。
【００４２】
この３Ｄメールの送信依頼を受け取ると、３Ｄサーバ装置４は、図２（Ｂ）に示すように、３Ｄメールの送信依頼に含まれる、送信したい３次元描画表示対象物の選定情報から、宛先の携帯電話端末２に伝達するための描画対象特定情報を生成し、送信する電子メールの本文に付加する。図２（Ｂ）の例では、送信したい３次元描画表示対象物の選定情報により指定される３次元描画表示対象物の名称などの識別情報を、墨付きの括弧で閉じた記述を、描画対象特定情報として生成し、それを電子メール本文の末尾に付加するようにする。
【００４３】
なお、墨付きの括弧で閉じた記述は、描画対象特定情報の一例であり、３Ｄメールを受信して、３次元描画表示を行なうためのアプリケーション上で定められた記述であれば、どのようなものであってもよい。
【００４４】
そして、３Ｄサーバ装置４は、この図２（Ｂ）に示したような態様の電子メールを、携帯電話基地局３を介して、宛先の携帯電話端末２に対して送信する。
【００４５】
当該３Ｄ電子メールを受信した携帯電話端末２において、受信ユーザが当該受信メールを開くと、携帯電話端末２に搭載されている電子メールのアプリケーションプログラムが起動して、受信した電子メールの本文中に、前記描画対象特定情報が付加されているかどうかをチェックする。
【００４６】
そして、携帯電話端末２は、受信した電子メールの本文中に、前記描画対象特定情報が付加されていると判別すると、３次元描画表示のためのアプリケーションプログラムを起動させる。
【００４７】
このときに、３次元描画表示のためのアプリケーションプログラムを携帯電話端末２が備えていない場合には、当該携帯電話端末２は、３Ｄサーバ装置４にアクセスし、当該３次元描画表示のためのアプリケーションプログラムのダウンロード要求をして、取得し、プログラム格納部に格納するようにする。このために、３Ｄサーバ装置４は、３Ｄメールには、自装置４のネットワーク上のＵＲＬ（Ｕｎｉｆｏｒｍ  Ｒｅｓｏｕｒｃｅ  Ｌｏｃａｔｏｒ）を、電子メール本文中に挿入したり、あるいは、添付したり付加する。
【００４８】
携帯電話端末２では、前記電子メールのアプリケーションプログラムにしたがって、３Ｄメールに付加されているＵＲＬを用いて、例えばインターネットなどのネットワークを通じて３Ｄサーバ装置４にアクセスし、３次元描画表示のためのアプリケーションプログラムのダウンロードによる提供を受けるようにする。
【００４９】
そして、受信した電子メールに含まれる描画対象特定情報、つまり、この例では、墨付き括弧で囲まれた３次元描画表示対象物の名称などの識別情報をチェックし、当該３次元描画表示対象物を３次元描画表示するために必要な基本データが、自端末装置に格納されているかどうかをチェックする。
【００５０】
この例の場合、携帯電話端末２は、３次元描画表示対象物を、前記３次元描画表示のためのアプリケーションプログラムにより３次元描画表示するために必要な基本データ（３次元描画基本データ）を、対応する３次元描画表示対象物の名称などの識別情報に対応して格納しておく格納部を備えている。この例では、この格納部は、カード形メモリとされており、挿入自在とされている。なお、この格納部は、カード形メモリではなく、携帯電話端末２に内蔵するメモリであっても勿論よい。
【００５１】
携帯電話端末２は、受信した電子メールに含まれる描画対象特定情報で指定される３次元描画表示対象物の３次元描画基本データが、自装置の格納部に格納されていると判別したときには、当該格納部から、指定された３次元描画表示対象物の３次元描画基本データを読み出し、前記アプリケーションプログラムにより３次元描画表示を行なう。
【００５２】
また、受信した電子メールに含まれる描画対象特定情報で指定される３次元描画表示対象物の３次元描画基本データが、自装置の格納部に格納されていると判別したときには、携帯電話端末２は、当該携帯電話端末２に格納されている電子メールのアプリケーションプログラムにしたがって、この例では３Ｄサーバ装置４にアクセスして、当該３Ｄサーバ装置４に対して、当該描画対象特定情報で指定される３次元描画表示対象物の３次元描画基本データの取得要求をする。
【００５３】
この３次元描画基本データの取得要求に対しては、３Ｄサーバ装置４は、前記描画対象特定情報で指定される３次元描画表示対象物の３次元描画基本データを、取得要求してきた携帯電話端末２にダウンロードする。そこで、携帯電話端末２は、ダウンロードしてきた前記３次元描画基本データを用いて、前記アプリケーションプログラムにより３次元描画表示を行なう。図２においては、３次元描画基本データのやり取りは、破線の矢印で示した。
【００５４】
取得した３次元描画表示対象物の３次元描画基本データは、その３次元描画表示対象物の識別情報（描画対象特定情報）に対応させて、格納部に格納する。これにより、携帯電話端末２において、再度、３Ｄメールを開いて見るときには、３Ｄサーバ装置４にアクセスすることなく、自装置に格納されている３次元描画基本データを用いて、３Ｄメールを見ることができる。
【００５５】
なお、３次元描画表示のためのアプリケーションプログラムを携帯電話端末２が備えていないときには、初めて、３Ｄサーバ装置４を介して３Ｄメールの送受を行なう場合と考えられるので、この例では、３次元描画表示のためのアプリケーションプログラムを携帯電話端末２が備えていないときには、合わせて前記描画対象特定情報で指定される３次元描画表示対象物の３次元描画基本データをも、３Ｄサーバ装置４から取得するようにする。
【００５６】
この場合、携帯電話端末２において表示される電子メール受信画面は、図３に示すようなものとなる。すなわち、図３に示すように、３次元描画表示対象物は、電子メール本文に重畳されるように表示される。
【００５７】
以上は、３Ｄサーバ装置４を介在させて、３Ｄメールを送受信する方法であるが、この実施形態の３Ｄメールの仕組みを理解しているユーザであれば、３サーバ装置４から３Ｄメール作成用画面を取得することなく、自携帯電話端末１で３Ｄ用の電子メールを作成して、３Ｄサーバ装置４を介して、携帯電話端末２に３Ｄ電子メールを送ることができる。
【００５８】
図４は、そのときの３Ｄメールの送受信態様を説明するための図である。すなわち、携帯電話端末１のユーザは、送信する電子メールの宛先のアドレスを、３Ｄサーバ装置４を経由して電子メールを送信するための変換を加えて入力する。すなわち、宛先の携帯電話端末２の電子メールアドレスの末尾の「ｎｅ．ｊｐ」を、例えば「ｎｅ３ｄ．ｊｐ」に変更する。
【００５９】
また、携帯電話端末１のユーザは、３Ｄサーバ装置４を介在して３Ｄメールを送るときに、添付３Ｄの欄１４のプルダウンメニューを見て記憶している３次元描画表示対象物の名称の中から、送りたい３次元描画表示対象物の名称の記憶を呼び起こし、その名称を、この例では、墨付き括弧で囲んで、電子メール本文の最後に記述して付加する。そして、携帯電話端末１のユーザは、以上のようにして作成した電子メールを送出する。
【００６０】
すると、この電子メールは、図４に示すように、３Ｄサーバ装置４を介し、携帯電話基地局３を介して受信側の携帯電話端末２に送られる。なお、図１の場合にも同様であるが、３Ｄサーバ装置４では、送られてくる電子メールのメールアドレスから、送信側および受信側の携帯電話端末が加入している携帯電話会社を検知し、電子メールが受信側の携帯電話端末２に対して正しく送信されて開けるようにするための必要な処理、例えば記述言語の変更などを行なう。
【００６１】
そして、受信側の携帯電話端末２では、３Ｄサーバ装置４を介して送られてきた３Ｄメールを受信して、図１と全く同様の処理を実行して、当該３Ｄメールを電子メール受信画面に表示して観ることができる。
【００６２】
なお、図１および図４の例では、携帯電話端末２が３Ｄサーバ装置４にアクセスして、３次元描画表示用アプリケーションプログラムや、３次元描画基本データをダウンロードするための３Ｄサーバ装置４のＵＲＬは、３Ｄサーバ装置４が、電子メールに付加して、受信側の携帯電話端末２に提供するようにしたが、３Ｄサーバ装置４が予め定められたものであって、携帯電話端末２にそのＵＲＬを保持するようにしておく場合には、３Ｄサーバ装置４は、３Ｄメールに、前記ＵＲＬを付加する必要はない。
【００６３】
［携帯電話端末１，２のハードウエア構成］
図５は、携帯電話端末１および２の構成例を示すものである。
【００６４】
すなわち、この例の携帯電話端末は、通話用マイクロホン２１からの音声信号は、アンプ２２を通じて信号処理部２３に供給され、この信号処理部２３においてデジタル信号処理や所定の変調処理などが行なわれ、送信用信号に変換される。この送信用信号は、送信部２４を通じ、分配器２５を通じてアンテナ２６に供給され、携帯電話基地局３に送信される。
【００６５】
また、携帯電話基地局３を経由して相手方から送られてきた信号の電波は、アンテナ２６で受信され、アンテナ分配器２５、受信部２７を通じて信号処理部２３に供給され、この信号受信部２３において、変調されていた信号が復調される。そして、復調された信号が音声信号であれば、アナログ音声信号に戻され、アンプ２８を通じてスピーカ２９に供給され、音声再生される。
【００６６】
制御部１００は、マイクロコンピュータを用いて構成され、ＣＰＵ（Ｃｅｎｔｒａｌ  Ｐｒｏｃｅｓｓｉｎｇ  Ｕｎｉｔ）１０１に対して、システムバス１０２を介して、プログラムやデータが保持されたＲＯＭ（Ｒｅａｄ  Ｏｎｌｙ  Ｍｅｍｏｒｙ）１０３と、ワークエリア用のＲＡＭ（Ｒａｎｄｏｍ  Ａｃｃｅｓｓ  Ｍｅｍｏｒｙ）１０４と、キー入力操作部１０５を接続するためのインターフェース１０６と、表示素子の例としてのＬＣＤ（Ｌｉｑｕｉｄ  Ｃｒｙｓｔａｌ  Ｄｉｓｐｌａｙ）１０７を接続するためのディスプレイインターフェース１０８と、カード形メモリインターフェース１０９とが接続されている。
【００６７】
ＲＯＭ１０３あるいはＲＡＭ１０４には、前述した電子メール用のアプリケーションプログラムや３次元描画表示のためのアプリケーションプログラムが格納されている。
【００６８】
カード形メモリインターフェース１０９には、カード形メモリ１１０が装填されて、読み書きができるようにされている。前述したように、カード形メモリ１１０には、この例では、複数の３次元描画表示対象物についての３次元描画基本データが格納されるように構成されている。
【００６９】
そして、受信部２７および送信部２４に制御部１００から制御信号が供給されて、通信制御がなされる。また、制御信号が信号処理部３３に供給されて、この信号処理部３３が制御される。
【００７０】
さらに、制御部１００において生成された電子メールの情報が、信号処理部２３、送信部２４、分配部２５、アンテナ２６を通じて送出される。また、受信された電子メールは、受信部２７を通じて、信号処理部２３を通じて制御部１００に取り込まれて、処理されてＬＣＤ１０７の画面に表示されるようにされる。
【００７１】
［３Ｄサーバ装置４の構成例］
図６は、第１の実施形態における３Ｄサーバ装置４の構成例を示すもので、マイクロコンピュータで構成されている。すなわち、３Ｄサーバ装置４は、ＣＰＵ２０１に対して、システムバス２０２を介して、プログラムやデータが保持されたＲＯＭ２０３と、ワークエリア用のＲＡＭ２０４と、通信ネットワーク３に接続するための通信インターフェース２０５と、３次元描画表示対象物（以下、３Ｄオブジェクトという）の３次元描画基本データを格納する３Ｄオブジェクトメモリ２０６と、携帯電話端末からの３Ｄメール送信依頼に対応するアドレス変換などの処理をするための３Ｄメール処理部２０７とが接続されて構成されている。
【００７２】
３Ｄメール処理部２０７は、ＲＯＭ２０３に格納されているアプリケーションプログラムによりソフトウエア処理として実行されるように構成することもできる。
【００７３】
［携帯電話端末における３Ｄメールの送信動作のフローチャート］
図６は、携帯電話端末１における３Ｄメールの送信時の処理を説明するためのフローチャートである。この図６の処理は、主として、携帯電話端末１のＣＰＵ１０１がＲＯＭ１０３に格納されているプログラムにしたがって、ＲＡＭ１０４をワークエリアとして使用することにより実行される。
【００７４】
すなわち、まず、携帯電話端末１のユーザは、携帯電話端末１に用意されているネットワークを介したサービスのメニューの一覧から、３Ｄサーバ装置４へのアクセスを選択し、決定キーを押す。すると、携帯電話端末１は、３Ｄサーバ装置４にアクセスを実行する（ステップＳ１）。
【００７５】
このアクセスに対しては、３Ｄサーバ装置４からは提供可能なサービスの一覧メニューが送られてくるので、携帯電話端末１では、それをＬＣＤ１０７の画面に表示する（ステップＳ２）。ユーザは、当該一覧メニューから３Ｄメールを選択するので、携帯電話端末１は、この選択を受け付けて、その選択情報を３Ｄサーバ装置４に送る（ステップＳ３）。
【００７６】
これに対しては、３Ｄサーバ装置４は、図２（Ａ）に示したような３Ｄメール作成用画面の情報を送ってくるので、携帯電話端末１は、これを受信して、ＬＣＤ１０７の画面に表示する（ステップＳ４）。
【００７７】
そして、携帯電話端末１では、当該３Ｄメール作成用画面の「宛先」欄１１への宛先電子メールアドレスの入力、「題名」欄１２への題名の入力、また、「本文」欄１３への電子メール本文の入力を受け付ける（ステップＳ５）。
【００７８】
次に、携帯電話端末１では、３Ｄメール作成用画面の「添付３Ｄ」欄１４における３Ｄオブジェクトの選択入力を受け付ける（ステップＳ６）。そして、ユーザからの送信指示操作を確認して、３Ｄサーバ装置４に、３Ｄメールの送信依頼を送る（ステップＳ７）。以上で、この図７の処理ルーチンを終了する。
【００７９】
［携帯電話端末での電子メールの受信処理ルーチン］
図８は、上述の例における携帯電話端末２における受信電子メールの表示処理ルーチンを説明するためのフローチャートである。この図８の処理は、主として、携帯電話端末２のＣＰＵ１０１がＲＯＭ１０３に格納されているプログラムにしたがって、ＲＡＭ１０４をワークエリアとして使用することにより実行される。
【００８０】
すなわち、先ず、携帯電話端末２では、表示処理する受信電子メールのユーザからの選択を受け付ける（ステップＳ１１）。そして、選択された受信電子メールの本文に、描画対象特定情報が付加されているかどうかをチェックして、３Ｄメールであるか否か判別する（ステップＳ１２）。
【００８１】
ステップＳ１２で、受信電子メールの本文に、描画対象特定情報が付加されておらず、通常の電子メールであると判別したときには、電子メールの本文を開いて、ＬＣＤ１０７の画面に表示する（ステップＳ１３）。そして、ユーザからの終了指示を待って（ステップＳ２０）、この処理ルーチンを終了する。
【００８２】
また、ステップＳ１２で、受信電子メールの本文に、描画対象特定情報が付加されていて３Ｄメールであると判別したときには、３次元描画表示用のアプリケーションプログラムが自携帯電話端末に既に格納されて備えられているか否か判別する（ステップＳ１４）。
【００８３】
このステップＳ１４で、３次元描画表示用のアプリケーションプログラムが自携帯電話端末に既に格納されていると判別されたときには、当該３次元描画表示用のアプリケーションプログラムを起動させると共に（ステップＳ１５）、描画対象特定情報の例としての墨付き括弧で囲まれた３Ｄオブジェクト名を参照して、指定された３Ｄオブジェクトの３次元描画基本データが携帯電話端末２に格納されているか否か判別する（ステップＳ１６）。
【００８４】
そして、ステップＳ１６で、指定された３Ｄオブジェクトの３次元描画基本データが、携帯電話端末２の格納部に格納されていると判別したときには、当該３次元描画基本データを、当該格納部から読み出す（ステップＳ１７）。そして、ＬＣＤ１０７の画面に、電子メール本文を表示すると共に、前記３次元描画表示用のアプリケーションプログラムを用いて、例えば、電子メール本文の画像に重ねるようにして、指定された３Ｄオブジェクトを３次元描画表示する（ステップＳ２０；図３参照）。そして、ユーザからの終了指示を待って（ステップＳ２１）、この処理ルーチンを終了する。
【００８５】
また、ステップＳ１６で、指定された３Ｄオブジェクトの３次元描画基本データが、携帯電話端末２の格納部に格納されていないと判別したときには、この例では、携帯電話端末２は、３Ｄメールに付加されている３Ｄサーバ装置４のＵＲＬを用いて、３Ｄサーバ装置４にアクセスし、３Ｄサーバ装置４に、前記指定された３Ｄオブジェクトの３次元描画基本データの取得要求を送る（ステップＳ１８）。
【００８６】
そして、携帯電話端末２は、この取得要求に対して３Ｄサーバ装置４から送られてくる指定された３Ｄオブジェクトの３次元描画基本データを受信して、３次元描画表示に利用すると共に、格納部に格納する（ステップＳ１９）。
【００８７】
そして、ＬＣＤ１０７の画面に、電子メール本文を表示すると共に、前記３次元描画表示用のアプリケーションプログラムを用いて、指定された３Ｄオブジェクトを３次元描画表示する（ステップＳ２０）。そして、ユーザからの終了指示を待って（ステップＳ２１）、この処理ルーチンを終了する。
【００８８】
また、ステップＳ１４で、３次元描画表示用のアプリケーションプログラムが自携帯電話端末には格納されていないと判別したときには、この例では、携帯電話端末２は、３Ｄメールに付加されている３Ｄサーバ装置４のＵＲＬを用いて、３Ｄサーバ装置４にアクセスし、３Ｄサーバ装置４に、３次元描画表示用のアプリケーションプログラムと、前記指定された３Ｄオブジェクトの３次元描画基本データの取得要求を送る（図９のステップＳ２２）。
【００８９】
そして、携帯電話端末２は、この取得要求に対して３Ｄサーバ装置４から送られてくる、３次元描画表示用のアプリケーションプログラムと、指定された３Ｄオブジェクトの３次元描画基本データを受信して、格納部に格納する（ステップＳ２３）。そして、当該３次元描画表示用のアプリケーションプログラムを起動させ（ステップＳ２４）、ステップＳ２０に進んで、取得した３Ｄオブジェクトの３次元描画基本データを用いて、３次元描画表示する。
【００９０】
［３Ｄサーバ装置の動作説明］
次に、３Ｄサーバ装置４における処理動作について、図９のフローチャートを参照しながら説明する。この図１０の処理は、主として、３Ｄサーバ装置４のＣＰＵ２０１がＲＯＭ２０３に格納されているプログラムにしたがって，ＲＡＭ２０４をワークエリアとして使用することにより実行される。
【００９１】
３Ｄサーバ装置４は、携帯電話端末からのアクセスを監視し（ステップＳ３１）、アクセスがあったと判別したときには、当該アクセスが、３次元描画表示用のアプリケーションプログラムおよび／または３Ｄオブジェクトの３次元描画基本データの取得要求であるか否か判別する（ステップＳ３２）。
【００９２】
ステップＳ３２で、アクセスが３次元描画表示用のアプリケーションプログラムおよび／または３Ｄオブジェクトの３次元描画基本データの取得要求であると判別したときには、３Ｄサーバ装置４は、要求された３次元描画表示用のアプリケーションプログラムおよび／または３Ｄオブジェクトの３次元描画基本データを、要求してきた携帯電話端末に対してダウンロードする（ステップＳ３３）。そして、この処理ルーチンを終了する。
【００９３】
また、ステップＳ３２で、アクセスが３次元描画表示用のアプリケーションプログラムおよび／または３Ｄオブジェクトの３次元描画基本データの取得要求ではないと判別したときには、３Ｄサーバ装置４は、提供サービスメニューをアクセスしてきた携帯電話端末に送信する（ステップＳ３４）。そして、携帯電話端末からのメニュー項目の選択情報を受信して３Ｄメールが当該メニューから選択されたか否か判別し（ステップＳ３５）、３Ｄメール以外のサービス項目が選択されたと判別したときには、当該選択されたサービス項目に対応する処理を行なうようにする（ステップＳ３６）。
【００９４】
ステップＳ３５で、３Ｄメールが選択されたと判別したときには、３Ｄサーバ装置４は、アクセスしてきた携帯電話端末に対して３Ｄメール作成用画面を送る（ステップＳ３７）。また、プルダウンメニューとして表示される３Ｄオブジェクトの名称一覧リストを送る（ステップＳ３８）。
【００９５】
そして、携帯電話端末からの３Ｄメールの送信依頼を待ち（ステップＳ３９）、当該送信依頼を受信したことを確認すると、３Ｄサーバ装置４は、送信依頼に含まれる電子メールの本文に、送信依頼により指定された３Ｄオブジェクトを特定する描画対象特定情報を付加して３Ｄメールを生成し、当該生成した３Ｄメールを宛先の携帯電話端末に送信するようにする（ステップＳ４０）。そして、この図９の処理を終了する。
【００９６】
［電子メール送受信方法の第２の実施形態］
図１１は、３次元描画画像表示を伴う電子メールの送受信方法の第１の実施形態の概要を説明するための図である。
【００９７】
この第２の実施形態は、３Ｄメールを受信した受信端末装置において、３次元描画表示のためのアプリケーションプログラムを起動する方法と、描画対象特定情報とが異なる。すなわち、第１の実施形態では、３Ｄサーバ装置４では、受信端末装置において、３次元描画表示のためのアプリケーションプログラムを起動するために、宛先の電子メールアドレスに、宛先アドレスとしては通信網上で無視される特定の文字および／または記号を付加するようにし、また、描画対象特定情報は、３Ｄオブジェクトを指定する情報を特定の形式のものとして、電子メール本文に追加するようにした。
【００９８】
これに対して、この第２の実施形態では、３Ｄサーバ装置４では、受信端末装置において、３次元描画表示のためのアプリケーションプログラムを起動するための起動用情報と、３Ｄオブジェクトを受信端末装置に通知するための描画対象特定情報とからなる特定の情報を電子メールに添付するようにする。
【００９９】
この特定の情報のうちの前記起動用情報は、３次元描画表示のためのアプリケーションプログラムを起動するためのものとして、予め定められ、受信端末装置側で、当該情報を検知したときに３次元描画表示のためのアプリケーションプログラムを起動することができるものであればどのようなものでもよい。また、描画対象特定情報は、３Ｄオブジェクトの名称等、描画対象の３Ｄオブジェクトを特定できるものであればよい。
【０１００】
しかし、この例では、前記起動用情報は、３Ｄオブジェクトの３次元描画基本データが格納されている場所を示すものとして定義される拡張子、例えば「．ｍｌｎ」とされている。ここで、拡張子「．ｍｌｎ」は、３Ｄオブジェクトの３次元描画基本データが格納されている場所を示すものとして携帯電話網を管理する携帯電話会社においてオフィシャルに認定されることが望ましい。何故なら、オフィシャルに認定されている拡張子であれば、携帯電話端末が３Ｄ電子メールを受信したときに、指定された３Ｄオブジェクトの３次元描画基本データを格納して保持していないときに、この拡張子「．ｍｌｎ」を用いることにより、ダウンロードが容易になるからである。
【０１０１】
図１１の例では、第１の実施形態と同様に、携帯電話端末１で、３Ｄオブジェクトとして「りんご」が指定されている場合であり、３Ｄサーバ装置４では、携帯電話端末１からの３Ｄメールの送信依頼があったときには、電子メールに、例えば「ａｐｐｌｅ．ｍｌｎ」なる記述を添付して、宛先の携帯電話端末に宛てて送信するようにする。このとき、宛先の電子メールアドレスは、全く変更されない。なお、送信側の携帯電話端末１での処理動作は、第１の実施形態と同様である。
【０１０２】
したがって、３Ｄサーバ装置４の動作は、ステップＳ１９での処理が、アドレス変換および描画対象特定情報の電子メール本文への付加ではなく、前記「ａｐｐｌｅ．ｍｌｎ」なる記述の電子メールへの添付である点を除けば、図９に示したものと同様である。
【０１０３】
そして、この第２の実施形態では、受信端末装置としての携帯電話端末２では、３Ｄメールであるかどうかの判別は、添付されている情報を用いて行なう。すなわち、添付情報「ａｐｐｌｅ．ｍｌｎ」のうちの「．ｍｌｎ」が添付情報に含まれているかどうかにより、３Ｄメールかどうかを判別し、含まれていると判別したときには、３次元描画表示のためのアプリケーションプログラムを立ち上げるようにする。
【０１０４】
そして、受信端末装置としての携帯電話端末２では、拡張子「．ｍｌｎ」の前の記述を３Ｄオブジェクトを特定する描画対象特定情報として参照し、「ａｐｐｌｅ」を３Ｄオブジェクトと認識するようにする。受信側の携帯電話端末での、その他の処理動作は、第１の実施形態と同様である。ただし、拡張子「．ｍｌｎ」を用いることにより、３Ｄサーバ装置４から容易に３次元描画基本データをダウンロードすることができるので、予め携帯電話端末に、３Ｄサーバ装置４のネットワークアドレスを保存しておく必要はなく、また、別個に３Ｄサーバ装置４のネットワークアドレスを受信側の携帯電話端末に通知する必要もない。
【０１０５】
また、この第２の実施形態の場合においても、３Ｄメールの送信に慣れたユーザであって、前記起動用情報と、３Ｄオブジェクトを特定する描画対象特定情報とを熟知しているユーザであれば、電子メールに、「ａｐｐｌｅ．ｍｌｎ」などの特定の情報を添付することにより、３Ｄサーバ装置４を介在させずに３Ｄメールの送信ができる。
【０１０６】
［第１および第２の実施形態の効果］
上述したように、第１および第２の実施形態によれば、携帯電話端末の使用者は、３次元描画表示のための何らの操作を行なわなくても、３次元描画表示を伴う電子メールを開いて見ることができる。
【０１０７】
例えば、３Ｄサーバ装置４が図１２に示すような３Ｄメールの通知画面を、３Ｄメールを送る前に、受信端末である携帯電話端末２に送るようにして、携帯電話端末のユーザに当該３Ｄメールの受信を通知し、その後、ユーザが、当該画面に表示しているネットワークアドレスＡＤＲをクリックすることにより、３次元描画表示を伴う電子メール受信画面表示を行なうようにすることもできる。
【０１０８】
しかし、それでは、図１２の３Ｄメール通知画面において、ユーザが、３Ｄサーバ装置４のネットワークアドレス３００のクリックをユーザがしなければ、３Ｄメールを見ることができない。
【０１０９】
これに対して、上述の実施形態によれば、上記のネットワークアドレス３００のクリックなど全く行なわなくても、通常の電子メールと全く同様の操作で、３Ｄメールを見ることができるようになる。
【０１１０】
［他の実施形態および変形例］
なお、上述もしたように、携帯電話端末の格納部に指定された３Ｄオブジェクトの３次元描画基本データが格納されていないときのために、携帯電話端末に、３Ｄサーバ装置４のネットワークアドレスＵＲＬを保持しておき、当該アドレス情報を用いて、電子メール用アプリケーションにより３Ｄサーバ装置４にアクセスして、前記３次元描画基本データの取得依頼をするようにしてもよい。
【０１１１】
前述もしたが、上述の実施形態は、携帯電話端末の場合であるが、パーソナルコンピュータや、その他の携帯通信端末の場合における電子メールの送受信に対しても、この発明は適用可能である。
【０１１２】
なお、第１の実施形態では、描画対象特定情報を、３次元描画表示のためのアプリケーションプログラムを起動するための情報としても用いるようにしたが、描画対象特定情報とは異なる特定の記号や文字を、３次元描画表示のためのアプリケーションプログラムを起動するための情報として、電子メール本文に付加するようにしてもよい。
【図面の簡単な説明】
【０１１３】
【図１】この発明による電子メール送受信方法の第１の実施形態を説明するための図である。
【図２】この発明による電子メール送受信方法の第１の実施形態を説明するための図である。
【図３】この発明による電子メール送受信方法の第１の実施形態により受信された電子メールの表示画面の一例を示す図である。
【図４】この発明による電子メール送受信方法の第１の実施形態を説明するための図である。
【図５】この発明による電子メール送受信方法の第１の実施形態に用いられる携帯電話端末のハードウエア構成例を示すブロック図である。
【図６】この発明による電子メール送受信方法の第１の実施形態に用いられる３Ｄサーバ装置のハードウエア構成例を示すブロック図である。
【図７】この発明による電子メール送受信方法の第１の実施形態に用いられる携帯電話端末における３Ｄメールの送信時の処理動作を説明するためのフローチャートである。
【図８】この発明による電子メール送受信方法の第１の実施形態に用いられる携帯電話端末における３Ｄメールの受信時の処理動作を説明するためのフローチャートの一部である。
【図９】この発明による電子メール送受信方法の第１の実施形態に用いられる携帯電話端末における３Ｄメールの受信時の処理動作を説明するためのフローチャートの一部である。
【図１０】この発明による電子メール送受信方法の第１の実施形態に用いられる３Ｄサーバ装置における３Ｄメールの送受信のための処理動作を説明するためのフローチャートである。
【図１１】この発明による電子メール送受信方法の第２の実施形態を説明するための図である。
【図１２】この発明による電子メール送受信方法の効果を説明するために用いる図である。
【符号の説明】
【０１１４】
１…送信側の携帯電話端末、２…受信側の携帯電話端末、３…携帯電話基地局、４…３Ｄサーバ装置
【図１】
2005326978.tif 000003
【図２】
2005326978.tif 000004
【図３】
2005326978.tif 000005
【図４】
2005326978.tif 000006
【図５】
2005326978.tif 000007
【図６】
2005326978.tif 000008
【図７】
2005326978.tif 000009
【図８】
2005326978.tif 000010
【図９】
2005326978.tif 000011
【図１０】
2005326978.tif 000012
【図１１】
2005326978.tif 000013
【図１２】
2005326978.tif 000014